(57)【要約】      （修正有）【課題】発泡スチロールからなる額装パネルの表面を深みのある色に着色して児童や生徒が画用紙に描いた絵を装着する額装パネルを提供する。【解決手段】発泡スチロールの額縁枠体２と、受台パネル１１と、額縁枠体２の裏面および受台パネル１１の表面８の間に嵌挿した硬質透明フィルム３１と、絵画や写真などの作品４１を介して受台パネル１１に当接する硬質透明フィルム３１の押さえ面とを有する。額縁枠体２は裏側へ突出する凸条縁と凸条縁の内周壁面に沿って表側に凹んだ凹溝を有する。硬質透明フィルム３１は凹溝の内側に嵌合される。受台パネル１１は額縁枠体２の凸条縁の内周壁面に嵌合される。額装枠体２の表面８が粗面仕上げによるつや消し表面又はつや消し着色表面に仕上げられている表側から作品４１を額装可能である。【選択図】図１
0003189453.tif 000002
【実用新案登録請求の範囲】
【請求項１】
発泡スチロール（７）からなる額縁枠体（２）と、額縁枠体（２）に嵌合する発泡スチロール（７）からなる受台パネル（１１）と、額縁枠体（２）の裏面（１４）および受台パネル（１１）の表面（８）の間に嵌挿した硬質透明フィルム（３１）と、絵画や写真などの作品（４１）を介して受台パネル（１１）に当接する硬質透明フィルム（３１）の押さえ面（６）とからからなる額縁パネル（１）において、裏側へ突出する凸条縁（３）と該凸条縁（３）の内周壁面（５）に沿って表側に凹んだ凹溝（４）からなる発泡スチロール（７）の額縁枠体（２）と、凹溝（４）の内側に嵌合する硬質透明フィルム（３１）と、凸条縁（３）の内周壁面（５）に当接して嵌合される受台パネル（１１）と、かつ該額装枠体（２）の表面（８）を粗面仕上げによるつや消し表面（９）とからなるものとしていることを特徴とする表側から簡易に絵画や写真などの作品（４１）を額装可能な額装パネル（１）。
【請求項２】
受台パネル（１１）は、額装枠体（２）の凸条縁（３）の内側の凹溝（４）に嵌合される嵌合凸条縁（１２）と、内側に作品（４１）および硬質透明フィルム（３１）を載置する載置パネル（１３）と、載置パネル（１３）の周辺の嵌合凸条縁（１２）の内側に沿って左右および上下に裏面（１４）から設けた係止ピン（５１）の挿入用の長溝孔（１５）と、外周壁面（１６）の左右および上下に配設の２ないし３条の薄肉の凸条リブ（１７）からなり、受台パネル（１１）の外周壁面（１６）の凸条リブ（１７）が額縁枠体（２）の凸条縁（３）の各内周壁面（５）に嵌合され緊締されていることを特徴とする請求項１に記載の表側から簡易に絵画や写真などの作品（４１）を額装可能な額装パネル（１）。
【請求項３】
受台パネル（１１）の左右および上下の位置に裏面（１４）から設けた係止ピン（５１）の挿入用の長溝孔（１５）に代えて、受台パネル（１１）は、裏面（１４）の上下左右の端部（１４ａ）に両面接着テープ（６１）の貼着用の滑面域（２４）を設けていることを特徴とする請求項１に記載の表側から簡易に絵画や写真などの作品（４１）を額装可能な額装パネル（１）。
【請求項４】
上記額装枠体（２）の粗面仕上げによるつや消し表面（９）が、さらに水性塗料により着色されているものであることを特徴とする、請求項１から請求項３のいずれか１項に記載の、表側から簡易に絵画や写真などの作品（４１）を額装可能な額装パネル（１）。
【考案の詳細な説明】
【技術分野】
【０００１】
この考案は、絵画や写真などを額として壁面に取り付けあるいは机やテーブルの上に立てかけて展示したり飾るために表側から簡易に装着できる額縁すなわち額装パネルであって、額装枠体表面が粗面仕上げによるつや消しの、塗料による着色がされていない又は塗料による着色がされた表面であり、平滑面からなる照りを解消し表面を種々の色に着色可能とするとともに、該額装枠体表面を幼稚園児や小学校低学年児童など優れた着色技術を有していない利用者が着色しても水性絵の具が弾かれず表面を均一に着色でき、厚塗りによる乾燥不全や乾燥後の色むらや絵の具の剥げ落ちのない、上記額装パネルに関する。
【背景技術】
【０００２】
従来、絵画や写真などを展示したり飾る場合は、鑑賞する人達の便宜を図って、鑑賞する人の目の高さ位置の壁面に設置あるいはテーブルなどに立てて展示する。この場合、展示する絵画や写真などに相応しい額縁に入れたりあるいはパネルに仕立てたりする。このような額縁やパネルは単純な枠体からなるものから装飾を施したものまでがあり、安価な単にベニヤのパネルなものから高額な額縁からなるものまで種々ある。さらに、幼稚園や小学校などでは児童や生徒の描いた画用紙などを単に押しピンなどで展示用壁面に直接貼る場合もある。ところで、このように児童や生徒の描く絵画を展示する場合であっても、額縁に装入して展示すると、絵画が引き立って見え、さらに絵画が損傷することも減少する。
【０００３】
そこで、出願人は、上記の小学校や幼稚園などの生徒や児童が画用紙等に描いた絵画を額装仕立てとし、これらの絵画を一層に引き立ち得るものとするために、額縁である額装パネルを軽量なものとし、かつ絵画の描かれた画用紙を簡単に額装パネル内へ装着可能なものとし、絵画を装着した額装パネルを教室の展示用壁面にピン止めや両面接着テープ等で簡単に飾り得るものとした額縁すなわち額装パネルを開発して特許を得た（例えば、特許文献１参照。）。
【０００４】
上記した特許となった額装パネルは、その主要素材が比重０．０４〜０．２である軽量硬質素材で、その発泡倍率が１０〜２５倍である発泡スチロールからなっているものである。ところで、この発泡スチロールからなる額装パネルは、その素材であるポリスチレンに発泡剤を混ぜてスポンジ状としたペレット状粒子を、１００℃ぐらいに加熱した金型で成型して額装パネルの形状物としている。これらの額装パネルの色は、基本的には素材であるポリスチレンの発泡した白色である。一方、素材のポリスチレンに着色剤を混入して発泡、成型することで、その着色剤の色を発泡体に付して、白色の他にベージュやブラウンなどとした額装パネルも製作している。しかしながら、金型による成型で額装パネルの表面は滑面となっているので、着色された表面層も照りがあり、この額装パネルに絵画を装着した際に、絵画に重厚で深い趣のある味わいを必ずしも感じさせるものではなかった。
【０００５】
また、従来、白色やベージュなどの淡色の発泡したポリスチレン素材からなる額装パネルを幼稚園、保育園、小学校などにて使用する際には、該額装パネルの額装枠体表面を汎用の水彩絵の具によって各利用者が好みとする色合いに着色することが行われている。しかし、上記従来の発泡したポリスチレン素材を用いた額装枠体は、その表面が滑面となっているため、一般の絵画用水彩絵の具で着色する際に絵の具濃度が薄いと、絵の具が発泡したポリスチレン素材表面で弾かれてしまい、また、絵の具が弾かれることを防ぐために絵の具濃度を濃くすると、厚塗りになったり塗りむらに起因して絵の具の厚みにむらが生じ、絵の具が速やかに乾燥せず作業環境が汚れやすくなり、さらには乾燥後に色むらを生じたり表面から絵の具が剥がれ落ちるなど、不都合が生じやすいものであった。そのため、利用者は、絵の具濃度を慎重に調節し均一に着色する必要があり、特に、幼稚園児、保育園児や小学校児童など、優れた着色技術を有していない利用者にとっては、上記従来の額装パネルは、着色時の使用性が必ずしも良好とはいえなかった。
【先行技術文献】
【特許文献】
【０００６】
【特許文献１】特許第３０２３１０７号公報
【考案の概要】
【考案が解決しようとする課題】
【０００７】
上記の出願人の特許された発泡スチロールからなる額装パネルは、壁に掛けたまま表側から作品を簡単に装着して、迅速かつ容易に作品の入れ替えができ、したがって、作品の装着や入れ替えに労力を要しないものである。さらに、この額装パネルは軽量であるので、額装パネルが掛けた壁面から落下しても、その下の器物を破損したりあるいは人を怪我させることないものである。また、壁面に簡単に掛けることが可能で、しかも作品の絵画の見栄えを良好としながらも、一方で額装パネルのコストを廉価なものとしている特徴を有する。
【０００８】
本願の考案が解決しようとする課題は、上記した発泡スチロールからなる額装パネルが有する特徴に加えて、これらの金型の加熱により形成した額装パネルの、作製時の発泡スチロールの表面と金型面との当接により形成された、平滑面からなる照りを解消するとともに表面を種々の色に着色可能とすること、額装パネルの額装枠体表面を幼稚園児や小学校低学年児童など優れた着色技術を有していない利用者が着色しても汎用の水性塗料が弾かれず表面を均一に着色でき、厚塗りによる乾燥不全や乾燥後の色むらや絵の具の剥げ落ちのないものとすること、かつ着色された発泡スチロールの表面の着色の色合いに、深みのある趣と重厚さと品を付与して、この額装パネルに児童や生徒が画用紙に描いた絵を装着することで、児童や生徒が描いた作品とは想定し得ないものとした、着色が容易な額装パネルを提供することである。
【課題を解決するための手段】
【０００９】
上記の課題を解決するための手段は、本考案の第１の手段では、発泡スチロール７からなる額縁枠体２と、額縁枠体２に嵌合する発泡スチロール７からなる受台パネル１１と、額縁枠体２の裏面１４および受台パネル１１の表面８の間に嵌挿した硬質透明フィルム３１と、絵画や写真などの作品４１を介して受台パネル１１に当接する硬質透明フィルム３１の押さえ面６とからからなる額縁パネル１において、裏側へ突出する凸条縁３と該凸条縁３の内周壁面５に沿って表側に凹んだ凹溝４からなる発泡スチロール７の額縁枠体２と、凹溝４の内側に嵌合する硬質透明フィルム３１と、凸条縁３の内周壁面５に当接して嵌合される受台パネル１１と、かつ該額装枠体２の表面８を粗面仕上げによるつや消し表面９とからなるものとしていることを特徴とする表側から簡易に絵画や写真などの作品４１を額装可能な額装パネル１である。
【００１０】
本考案の第２の手段では、受台パネル１１は、額装枠体２の凸条縁３の内側の凹溝４に嵌合される嵌合凸条縁１２と、内側に作品４１および硬質透明フィルム３１を載置する載置パネル１３と、載置パネル１３の周辺の嵌合凸条縁１２の内側に沿って左右および上下に裏面１４から設けた係止ピン５１の挿入用の長溝孔１５と、外周壁面１６の左右および上下に配設の２ないし３条の薄肉の凸条リブ１７からなり、受台パネル１１の外周壁面１６の凸条リブ１７が額縁枠体２の凸条縁３の各内周壁面５に嵌合され緊締されている、第１の手段の表側から簡易に絵画や写真などの作品４１を額装可能な額装パネル１である。
【００１１】
本考案の第３の手段では、第２の手段の受台パネル１１の左右および上下の位置に裏面１４から設けた係止ピン５１の挿入用の長溝孔１５に代えて、受台パネル１１は、裏面１４の上下左右の端部１４ａに両面接着テープ６１の貼着用の滑面域２４を設けている、第１の手段の表側から簡易に絵画や写真などの作品４１を額装可能な額装パネル１である。
【００１２】
本考案の第４の手段では、上記額装枠体２の粗面仕上げによるつや消し表面９が、さらに水性塗料により着色されているものであることを特徴とする、請求項１から請求項３のいずれか１項に記載の、表側から簡易に絵画や写真などの作品４１を額装可能な額装パネル１である。
【考案の効果】
【００１３】
本考案の額装パネルは、該額装パネルの額装枠体の表面を粗面仕上げによるつや消し表面とすることにより、該額装枠体表面を幼稚園児や小学校低学年児童など優れた着色技術を有していない利用者が着色しても水性絵の具が弾かれず表面を均一に着色でき、厚塗りによる乾燥不全や乾燥後の色むらや絵の具の剥げ落ちのないものとすることができる。
そして、本考案の額装パネルは、粗面仕上げによるつや消し表面を有する発泡スチロールから形成されているので、軽量でありかつ安価でありながら、表面が深みのある多彩な色合いに着色できるものとなっているので、児童や生徒が画用紙に描いた作品であるとは想定し得ないものとして、展示することができ、展示においても軽量であるので、壁面に負担をかけて損傷することなく簡単にかかげることができる。
【図面の簡単な説明】
【００１４】
【図１】本考案の額装パネルを分解して示す斜視図である。
【図２】本考案の額縁枠体を示し、（ａ）は表面側から見た平面図、（ｂ）はそのＸ−Ｘ線により切断して矢印方向に見た断面図である。
【図３】本考案の額縁枠体を裏面から見た平面図である。
【図４】本考案の受台パネルの模式図で、（ａ）は表面から見た平面図、（ｂ）はそのＸ−Ｘ線により切断して矢印方向に見た断面図で、（ｃ）は他の実施の形態の断面図である。
【図５】本考案の額装パネルを側面からみた断面図である。
【図６】本考案の受台パネルの実施例を示す模式図で、（ａ）刃受台パネルを表面から見た平面図で、（ｂ）は嵌め板の断面図で、（ｃ）は受台パネルのＸ−Ｘ線により切断して矢印方向に見た断面図である。
【図７】本考案の額装パネルの壁面への取付け状態を示す断面図である。
【図８】本考案の受台パネルの裏面は両面接着テープを貼付した状態を示す図である。
【考案を実施するための形態】
【００１５】
本考案の実施形態について、以下に図面を参照して順次に説明する。先ず、本考案の手段では、図１に額装パネル１を分解して示すように、比重が０．０４〜０．２の発泡スチロール７から一体成形してなる額縁枠体２と、この額縁枠体２に嵌合する、同じく比重が０．０４〜０．２の発泡スチロール７から一体成形してなる受台パネル１１から、額装パネル１を形成している。この額装パネル１では、図３に示す額縁枠体２の裏面１４の押さえ面６と、図１に示す、絵画や写真などの作品４１を載置する載置パネル１３である受台パネル１１の表面８との間に、載置パネル１３の大きさと同じ大きさの硬質透明フィルム３１を嵌挿している。
【００１６】
上記の発泡スチロールは単価も安いので、児童や生徒の絵画や写真などの作品４１を額装して飾るには好適である。しかも、これらからなる額縁枠体２および受台パネル１１は上記したように比重が０．０４〜０．２の発泡スチロール７からなる軽量硬質素材で剛性もあるので極めて取り扱いやすく、しかも、取り扱い時に誤って本考案の額装パネル１を足の上に落下しても、軽量であるので足を怪我する危険も低い。さらに、絵画や写真などの作品４１の上に載置する硬質透明フィルム３１は、ポリエチレンテレフタレートいわゆるＰＥＴで、通常はＡ−ＰＥＴと称されるもので、価格も端の素材に比して安価である。勿論、硬質な透明フィルムであればポリプロピレンやポリカーボネートなどの硬質透明フィルムとすることも、児童や生徒の絵画や写真などの作品４１を飾るものとして、価格さえ見合うならば使用しうることはいうまでもない。
【００１７】
図２は、本考案の額装枠体２を示す。図２の（ａ）は額装枠体２を表側から見た図であり、（ｂ）は（ａ）のＸ−Ｘ線により切断して、その矢印方向に見た断面図で、凸条縁３の内側の面は内周壁面５となっている。内周壁面５の内側は凹溝４となっている。図５に示されるように、この凹溝４には、受台パネル１１の周縁の嵌合凸条縁１２が挿着されている。図４は、本考案の受台パネル１１を示す。図４の（ａ）は表側から見た平面図であり、載置パネル１３の周囲の長溝孔１５は、図７に示すように、額装パネル１を展示用の壁面６１に係止ピン５１で取り付けるための孔である。図４の（ｂ）、（ｃ）に示す凸条リブ１７を有する外周壁面１６の上端部である嵌合凸条縁１２は、図５に示すように、額装枠体２の凸条縁３の内側の凹溝４内に挿着されている。図４の（ａ）に示す、受台パネル１１の外周壁面１６の各辺から外方へ僅かな肉厚部となって突出している２〜３条の凸条リブ１７の部分は、図１に示すように受台パネル１１に額縁枠体２を被せる場合に、額縁枠体２の凸条縁３の内周壁面５に受台パネル１１の外周壁面１６を緊締状態で嵌合したものとする。
【００１８】
ところで、本考案の額装パネル１は発泡ポリスチレン粒状物を金型内で加熱して一体成形して額装パネル１に形状化している。従来、発泡ポリスチレン粒状物の金型による一体成形で発泡スチロールとするときは、成形面を滑面とした金型を使用するので、得られた発泡スチロールの成形面は滑らかなつや面となっている。しかも、発泡スチロールは、通常は白色である。
【００１９】
そうすると、成形面が滑らかなつや面を有する発泡スチロールの表面を水性塗料で着色しようとしても、塗料が薄いと、塗料が発泡したポリスチレン素材表面で弾かれてしまう。また、塗料が弾かれることを防ぐために塗料濃度を濃くすると、厚塗りになったり塗りむらに起因して塗料の厚みにむらが生じ、塗料が速やかに乾燥せず作業環境が汚れやすくなってしまう。そして、塗料を塗布した後に乾燥させても、色むらが生じ、さらには、乾燥後に、発泡したポリスチレン素材表面から塗料が剥がれ落ちるなどの不都合が生じることがある。
【００２０】
そのため、水性塗料の濃度を慎重に調節し、かつ、均一に、塗膜が厚くなりすぎないよう注意しながら着色する必要があり、幼稚園児、保育園児や小学校児童などのような、優れた着色技術を有していない利用者にとって、上記従来の額装パネルは使用性が良好とはいえなかった。上記問題を解決するために成形面が滑らかなつや面を有する発泡スチロールの表面をプライマー処理などにより表面加工処理すると、製品コストが上昇してしまう。
【００２１】
さらに、上記従来の発泡スチロールの成形面の白色のつや面に水溶性塗料で着色するとき、着色面はつや面のままとなっている。そうすると、このような着色面がつや面の額装パネル１に、絵画や写真などの作品４１を装着したとき、額縁枠体２がつや面であるので、額装した絵画や写真などの作品４１を落ち着いた雰囲気のあるものと感じさせることは難しい。
【００２２】
そこで、本考案の額装枠体２では、額装枠体２の表面８を粗面のつや消しに仕上げられていることで、水溶製塗料の載りを良好とし、このことで額装枠体２を、着色可能な、つや消し表面９又はつや消し着色表面９からなる落ち着いた雰囲気のある色合いのものとしている。本考案の額装パネルにおいては、上記のように、つや消し表面９又はつや消し着色表面９を有する額装枠体２を用いたものとなっているので、額装した絵画や写真などの作品４１の気品が高められており、たとえ児童や生徒が画用紙に描いた作品４１であっても、落ち着いた雰囲気で気品のあるものとなっている。
【００２３】
額装枠体２の表面８を粗面のつや消しに仕上げるためには、発泡ポリスチレン粒状物の一体成形用の金型の額装枠体２の表面８側の成形面を、サテン仕上げ、梨地仕上げ、ヘヤライン仕上げし、あるいはサンドブラスト、ショットブラスト処理し、もしくはエンボス加工により粗面化し、この金型を用いて発泡ポリスチレン粒状物の金型による一体成形で発泡スチロールの額装枠体２の表面８を粗面のつや消しに仕上げしたものとし、これを本考案の額装枠体２としている。
【００２４】
上記のように、発泡スチロールの額装枠体の表面を粗面のつや消しに仕上げしたものとすることで、水性塗料で着色する際に、塗料が発泡したポリスチレン素材表面で弾かれなくなり、良好な塗布性を備えたものとなった。また、筆もしくは刷毛にて塗布する際に、塗料が粗面化された素材表面上の微細な凹凸の凸部に漉しとられるようになるため、塗料がほぼ一定の厚みにて塗布されることとなり、幼稚園児、保育園児や小学校児童などのような優れた着色技術を有していない利用者が用いても、筆もしくは刷毛にて数回往復して塗るだけで汎用の水彩絵の具のような水性塗料をほぼ一定の厚みにて塗布することができ、厚塗りや塗りむらを生じさせることなく、大変簡便に水性塗料の塗布作業ができるものとなった。そして、厚塗りする必要がなく塗りむらも生じにくいものとなったため、乾燥が容易になり作業環境が汚れず、本考案の額装パネルは、塗布後の取り扱いが大変良好なものとなった。
【００２５】
さらに、従来のものでは、塗布した水性塗料が乾燥すると、ポリスチレン素材表面から剥がれ落ちるといった不具合が生じるものであったが、本考案の発泡スチロールの額装枠体の表面を粗面のつや消しに仕上げしたものを用いる額装パネルにおいては、塗布した水性塗料が乾燥すると、粗面化された素材表面上の微細な凹凸に噛み合うように固定されるので、展示中にポリスチレン素材表面から乾燥後の水性塗料が剥がれ落ちることが無い。
【００２６】
そして、発泡スチロールの額装枠体の表面は、上記のように粗面化されているので、その表面で入射光が乱反射して落ち着いた雰囲気を有するつや消し表面９のものとなり、さらにその表面に多彩な色合いの水性塗料が塗布されたものとすることで入射光が塗料表面においてさらに複雑に乱反射し、発泡スチロールの額装枠体の表面が、大変に落ち着いた雰囲気、深みのある趣、重厚さ及び品を有するつや消し着色表面９のものとなる。そのため、本考案の額装パネルを用いて児童や生徒の絵画や写真などの作品４１を額装することで、児童や生徒が画用紙に描いた作品であるとは想定し得ないものとして、展示することができるようになった。
【００２７】
一方、受台パネル１１の載置パネル１３の裏面１４には、嵌合凸条縁１２の内側に沿って左右または上下対称に裏面１４側から形成した係止ピン５１の挿入用の長溝孔１５を有したものとし、図７に示すように、係止ピン５１としては、その中央部に張出しつば５２を有するものとする。この係止ピン５１の張出しつば５２の上部は、受台パネル１１の上辺に副って設けられた長溝孔１５に載置パネル１３の裏面１４側から挿入され、一方、係止ピン５１の張出しつば５２の下部は、展示用の壁面７１に差し込まれることで、絵画や写真である作品４１を有する額装パネル１を展示用の壁面７１に取り付けるものとしている。
【００２８】
ところで、本考案では、上記したように、額装パネル２を受台パネル１１の左右および上下の位置の長溝孔１５に係止ピン５１を挿入し、この係止ピン５１の先端を展示用の壁面７１に係止して額装パネル２を飾ることに代えて、図８に示すように、受台パネル１１の裏面１４の上下左右の端部１４ａの滑面域２４に両面接着テープ６１の１面を接着面として貼付し、次いでこの両面接着テープ６１の他面を接着面として展示用の壁面７１に貼着して額装パネル１を取り付けるものとし、これを本考案の額装枠体２としている。
【００２９】
本考案の額装パネル１において、写真などを飾るためには、例えば８号サイズの受台パネル１１をポストカードサイズの１号：１５０ｍｍ×１０５ｍｍや、その倍の２号：２１０ｍｍ×１５０ｍｍや、さらにその倍の４号：３００ｍｍ×２１０ｍｍと、８号：４２０ｍｍ×３００ｍｍの４種類の大きさの作品４１を装入することができる共用の受台パネル１１を図６に示す。この図６の（ａ）は受台パネル１１を表側から見た平面図で、（ｃ）は（ａ）のＸ−Ｘ線で切断して矢印方向に見た断面図である。８号サイズの作品４１用の受台パネル１１の載置パネル１３の中央部に４号サイズ用の深さ３ｍｍの落とし込みからなる外側凹陥部１８を設け、この外側凹陥部１８の中央にさらに２号サイズ用の深さ３ｍｍの落とし込みからなる中間凹陥部１９を設け、さらにこの中間凹陥部１９の中央に１号の大きさの深さ３ｍｍの落とし込みからなる内側凹陥部２０を設ける。そして、図６の（ｂ）に断面で示すように、１号の大きさで厚さ３ｍｍである内側嵌め板２１と、２号の大きさで厚さ３ｍｍである中間嵌め板２２と、さらに４号の大きさで厚さ３ｍｍである外側嵌め板２３の３枚を、それぞれ厚紙またはボール紙あるいは発泡スチロール板で形成する。
【００３０】
そのうえで、例えば、額装パネル８号サイズの作品４１を装着するときは、上記の３枚の内側嵌め板２１と中間嵌め板２２と外側嵌め板２３を、順次、１号サイズの内側凹陥部２０と、２号サイズの中間凹陥部１９と、４号サイズの外側凹陥部１８に嵌め込んだ後に、８号サイズの作品４１を載置パネル１３に載置するものとする。すなわち、４号サイズの作品４１を装着するときは、上記の３枚の嵌め板の中で、外側嵌め板２３のみを外側凹陥部１８から取り除いてこの外側凹陥部１８に４号サイズの作品４１を載置する。また、２号サイズの作品４１を装着するときは、上記の３枚の嵌め板の中で外側嵌め板２３と中間嵌め板２２を外側凹陥部１８および中間凹陥部１９から取り除いてこの中間凹陥部１９に２号サイズの作品４１を載置する。さらに、１号サイズの作品４１を装着するときは、上記の３枚の外側嵌め板２３と中間嵌め板２２と内側嵌め板２１の全てを外側凹陥部１８、中間凹陥部１９および内側凹陥部２０から取り除いてこの内側凹陥部２０に１号サイズの作品４１を載置する。上記のようにして作品４１を受台パネル１１に載置すると、受台パネル１１に載置した作品４１の上に８号サイズの硬質透明フィルムを３１をさらに載置して額縁枠体２を図１のように嵌合して、作品４１を装着した額装パネル１とする。
【００３１】
この作品４１を装着した額装パネル１を室内の展示用の壁面１７に飾るために、図７に示すように、額装パネル１の受台パネル１１の裏面１４から長溝孔１５に、係止ピン５１の張出しつば５２の上部を挿入し、一方、係止ピン５１の張出しつば５２の下部を、展示用の壁面７１に差し込んで、絵画や写真である作品４１を装着した額装パネル１を展示用の壁面７１に取り付けて飾るものとする。
【符号の説明】
【００３２】
１  額装パネル
２  額縁枠体
３  凸条縁
４  凹溝
５  内周壁面
６  押さえ面
７  発泡スチロール
８  表面
９  つや消し表面
１１  受台パネル
１２  嵌合凸条縁
１３  載置パネル
１４  裏面
１４ａ  端部
１５  長溝孔
１６  外周壁面
１７  凸条リブ
１８  外側凹陥部
１９  中間凹陥部
２０  内側凹陥部
２１  内側嵌め板
２２  中間嵌め板
２３  外側嵌め板
２４  滑面域
３１  高質透明フィルム
４１  作品
５１  係止ピン
５２  張出しつば
６１  両面接着テープ
７１  壁面
【図１】
0003189453.tif 000003
【図２】
0003189453.tif 000004
【図３】
0003189453.tif 000005
【図４】
0003189453.tif 000006
【図５】
0003189453.tif 000007
【図６】
0003189453.tif 000008
【図７】
0003189453.tif 000009
【図８】
0003189453.tif 000010